(57)【特許請求の範囲】
【請求項１】
複数の発射筒(2)を間隔を設けて並設した本体(1)と、前記各発射筒(2)に対してクランプ手段(3)を介して延長筒(4)を接続するようにした延長筒クランプ装置において、前記クランプ手段(3)は、前記各延長筒(4)を同時に挟持するように互いに対向配置された第１、第２長手押さえ部材(8,8a)と、前記発射筒(2)側に固定されたベースプレート(20)と、前記ベースプレート(20)に回転自在に軸支されたレバー(11)と、前記レバー(11)の両端部に第１、第２軸支部(23,24)を介して接続され前記ベースプレート(20)に設けられた第１、第２ガイド部材(21,21a)により直動自在に保持された第１、第２連結棒(25,26)と、前記第１長手押さえ部材(8)と前記第１連結棒(25)とを軸支するための第１連結ピン(30)と、前記第２長手押さえ部材(8a)と前記第２連結棒(26)とを軸支するための第２連結ピン(31)とよりなり、前記各連結ピン(30,31)は前記各長手押さえ部材(8,8a)の長手方向に沿って互いに異なる位置に配設され、前記レバー(11)の回動により前記各長手押さえ部材(8,8a)を介して前記各延長筒(4)のクランプ／アンクランプを行うように構成したことを特徴とする延長筒クランプ装置。
【請求項２】
前記発射筒(2)は、前記各連結棒(25,26)の長手方向に沿って複数配設されていることを特徴とする請求項１記載の延長筒クランプ装置。
【請求項３】
前記各長手押さえ部材(8,8a)は、断面形状が凹状をなすと共に、前記各延長筒(4)に対応する部分は前記延長筒(4)の外周に沿って弧状に形成された弧状部(32)を有することを特徴とする請求項１又は２記載の延長筒クランプ装置。
【発明の詳細な説明】
【０００１】
【発明の属する技術分野】
本発明は、延長筒クランプ装置に関し、特に、複数個設けられた延長筒を一対の長手状押さえ部材によって同時にクランプ／アンクランプするための新規な改良に関する。
【０００２】
【従来の技術】
従来、用いられていたこの種の延長筒クランプ装置としては、図５から図９で示される構成を挙げることができる。
すなわち、図５及び図６で示される箱状の本体１には、複数（本形態では図７で示されるように６個）の発射筒２が設けられ、各発射筒２は図７に示されるように、図面上、横方向に３個、この横方向と直交する縦方向に２個各々配設されている。
【０００３】
前記各発射筒２には、クランプ手段３を介して延長筒４をクランプ／アンクランプすることができるように構成され、この各発射筒２側に設けられた第１フランジ５には、間隔用ピン６を介して第２フランジ７が対向配設されている。
【０００４】
前記各発射筒２の端部に形成された発射筒用フランジ２ａは、延長筒４の基部側の端部に形成された延長筒用フランジ４ａと対向して接合し、各フランジ２ａ，４ａはその外周に位置すると共に断面凹状をなす複数の押さえ部材８によって強制的に押圧接合保持されている。
前記各押さえ部材８は、各押さえ部材８の外周に位置すると共に各押さえ部材８が内側に取付けられたΩ状スチールベルト９が設けられている。
前記第２フランジ７にはピン１０を介してハンドル１１が図８の実線及び点線にて示されるように回動自在に設けられており、このハンドル１１にはリンク１２を介して前記スチールベルト９の一端に接続されている。
前記ハンドル１１の回動によって、実線の位置ではスチールベルト９が緊締され、点線の位置ではスチールベルト９が緩められるように構成されている。
なお、前記クランプ手段３は、前記各フランジ５、７、押さえ部材８、スチールベルト９、ハンドル１１及びリンク１２により構成されている。
【０００５】
従って、前述の構成において、まず、ハンドル１１を点線で示される位置に回動させた状態下で所要の延長筒４を各発射筒２に配設させ、各フランジ２ａ、４ａを接合させた状態で、ハンドル１１を点線から実線で示される位置に回動させると、リンク１２を介してスチールベルト９の一端が引き寄せられ、スチールベルト９の直径が縮まる状態となり、各押さえ部材８によって各フランジ２ａ、４ａが強固に接合されて延長筒４が発射筒２に一体状に結合される。
また、再び、ハンドル１１を実線から点線で示す位置に戻すことによって、スチールベルト９の緊締が解除され、延長筒４が発射筒２から離脱可能となり、前述の動作により前記クランプ手段３による発射筒２に対する延長筒４のクランプ／アンクランプ動作を達成することができる。
【０００６】
【発明が解決しようとする課題】
従来の延長筒クランプ装置は、以上のように構成されていたため、次のような課題が存在していた。
すなわち、前述のクランプ手段が、各発射筒毎に設けられていたため、延長筒の接続毎にハンドル操作をしなければならず、この延長筒の本数分（６〜１２）の回数が必要となり、工程が煩雑となっていた。
【０００７】
本発明は、以上のような課題を解決するためになされたもので、特に、複数個設けられた延長筒を一対の長手状押さえ部材によって同時にクランプ／アンクランプするようにした延長筒クランプ装置を提供することを目的とする。
【０００８】
【課題を解決するための手段】
本発明による延長筒クランプ装置は、複数の発射筒を間隔を設けて並設した本体と、前記各発射筒に対してクランプ手段を介して延長筒を接続するようにした延長筒クランプ装置において、前記クランプ手段は、前記各延長筒を同時に挟持するように互いに対向配置された第１、第２長手押さえ部材と、前記発射筒側に固定されたベースプレートと、前記ベースプレートに回転自在に軸支されたレバーと、前記レバーの両端部に第１、第２軸支部を介して接続され前記ベースプレートに設けられた第１、第２ガイド部材より直動自在に保持された第１、第２連結棒と、前記第１長手押さえ部材と前記第１連結棒とを軸支するための第１連結ピンと、前記第２長手押さえ部材と前記第２連結棒とを軸支するための第２連結ピンとよりなり、前記各連結ピンは前記各長手押さえ部材の長手方向に沿って互いに異なる位置に配設され、前記レバーの回動により前記各長手押さえ部材を介して前記各延長筒のクランプ／アンクランプを行うようにした構成であり、また、前記発射筒は、前記各連結棒の長手方向に沿って複数配設されている構成であり、また、前記各長手押さえ部材は、断面形状が凹状をなすと共に、前記各延長筒に対応する部分は前記延長筒の外周に沿って弧状に形成された弧状部を有する構成である。
【０００９】
【発明の実施の形態】
以下、図面と共に本発明による延長筒クランプ装置の好適な実施の形態について説明する。なお、従来例と同一又は同等部分については、同一符号を用いて説明する。
まず、図３及び図４で示される箱状の本体１には、複数（本形態では図１で示されるように６個）の発射筒２が設けられ、各発射筒２は図１に示されるように、図面上、横方向に３個、この横方向と直交する縦方向に２個各々配設されている。
【００１０】
前記各発射筒２には、クランプ手段３を介して延長筒４をクランプ／アンクランプすることができるように構成され、このクランプ手段３は、図１及び図２に示されるように構成されている。
すなわち、前記発射筒２側には、全ての発射筒２に一体に保持された状態でベースプレート２０が前記発射筒２の軸方向と直交する面方向を有するように配設されており、このベースプレート２０の上端と下端には互いに間隔をあけて半円筒状をなすガイド部材２１が一対ずつ設けられている。
【００１１】
前記各ガイド部材２１は、各発射筒２の間に位置するように配設されていると共に、このベースプレート２０の図１における横方向の中央位置には、レバー用軸支部２２が設けられ、このレバー用軸支部２２には長手形状のレバー１１が矢印Ａの方向に沿って往復回動自在に設けられている。
【００１２】
前記レバー１１の両端部位置には、第１、第２軸支部２３、２４を介して第１、第２連結棒２５、２６が作動自在に接続され、各連結棒２５、２６は４個の前記ガイド部材２１を貫通して縦方向に直動自在に保持されて、前記レバー１１の回動によって各連結棒２５、２６が互いに異なる方向に上下動するように構成されている。
【００１３】
前記各発射筒２の端部に形成された発射筒用フランジ２ａは、延長筒４の基部側の端部に形成された延長筒用フランジ４ａと対向して接合し、各フランジ２ａ、４ａはその外周に位置すると共に断面凹状をなす第１、第２長手押さえ部材８、８ａによって図４に示されるように強制的に押圧接合保持されている。
【００１４】
前記各長手押さえ部材８、８ａは、図１にも示されるように、横方向に並設された複数（本形態では３個）の発射筒２及び延長筒４を上下方向から挟持することができるように構成され、第１連結棒２５と第１長手押さえ部材８は第１連結ピン３０を介して連動自在に連結されていると共に、前記第２連結棒２６と第２長手押さえ部材８ａは第２連結ピン３１を介して連動自在に連結されている。なお、各連結ピン３０、３１は図１の上部から見た平面上においては、発射筒２及び延長筒４を挟む状態で互いに異なる千鳥足状に位置していると共に、長手押さえ部材８、８ａの長手方向に沿って互いに異なる位置に設けられている。
【００１５】
前記各長手押さえ部材８、８ａは、その長手方向に沿って各発射筒２及び延長筒４の外周すなわち各フランジ２ａ、４ａに沿って弧状に形成された弧状部３２が所定の間隔で設けられている。
従って、前記レバー１１を矢印Ａに沿って上方へ回動することにより、各第１長手押さえ部材８は下方へ付勢されると共に各第２長手押さえ部材８ａは上方へ付勢されることにより、各筒２、４の各フランジ２ａ、４ａは各長手押さえ部材８、８ａによって挟持されクランプが達成され、前記レバー１１を前述と逆に下方に回動することによって各長手押さえ部材８、８ａは開き、各フランジ２ａ、４ａのクランプが解除されてアンクランプ状態となる。
なお、前述のクランプ手段３は、レバー１１、ベースプレート２０、各連結棒２５、２６、ガイド部材２１、各長手押さえ部材８、８ａにより構成されている。
【００１６】
次に、動作について説明する。まず、レバー１１を下方へ押し下げて各長手押さえ部材８、８ａが開いてアンクランプとした状態で、各発射筒２の発射筒用フランジ２ａに各延長筒４の延長筒用フランジ４ａを接合させ、レバー１１を上方に押し上げると、各長手押さえ部材８、８ａが閉じ、クランプ状態となって、各フランジ２ａ、４ａはクランプされて各発射筒２に対する各延長筒４の接続が一度のレバー１１の動作によって達成される。なお、前述の形態では、６個の発射筒２の場合について述べたが、６個以下又は以上とすることができることは述べるまでもないことである。
【００１７】
【発明の効果】
本発明による延長筒クランプ装置は、以上のように構成されているため、次のような効果を得ることができる。
すなわち、１本のレバーの上下回動に連動させる各長手押さえ部材により各延長筒を同時にクランプ又はアンクランプすることができ、１度のレバー操作のみで多数の延長筒をクランプ／アンクランプすることで、艦上での作業を大幅に容易化し、作業の安全性も大幅に向上させることができる。
【図面の簡単な説明】
【図１】  本発明による延長筒クランプ装置を示す構成図である。
【図２】  図１の要部の拡大図である。
【図３】  図１の平面図である。
【図４】  図１の右側面図である。
【図５】  従来の延長筒クランプ装置を示す一部切欠付き平面図である。
【図６】  図５の底面図である。
【図７】  従来の延長筒クランプ装置の正面図である。
【図８】  図７の要部の拡大正面図である。
【図９】  図８の状態の各筒の接合／クランプ状態を示す断面図である。
【符号の説明】
１    本体
２    発射筒
３    クランプ手段
４    延長筒
８、８ａ    第１、第２長手押さえ部材
１１    レバー
２０    ベースプレート
２３、２４    第１、第２軸支部
２５、２６    第１、第２連結棒
３０、３１    第１、第２連結ピン
３２    弧状部
【図１】
0004388682.tif 000002
【図２】
0004388682.tif 000003
【図３】
0004388682.tif 000004
【図４】
0004388682.tif 000005
【図５】
0004388682.tif 000006
【図６】
0004388682.tif 000007
【図７】
0004388682.tif 000008
【図８】
0004388682.tif 000009
【図９】
0004388682.tif 000010